(57)【要約】【課題】所定のスケジュール通りに映像の表示を行うことができる投射型映像表示装置を実現する。【解決手段】スクリーンＳに映像を表示する時間である「点灯時間」と、スクリーンＳに映像を表示しないインターバルに関する時間である「開始時間」とが組み合わされてなるタイムテーブルに基づき、プロジェクタ１００が、スクリーンＳに映像を表示することと、非表示とすることとを切り替えることによって、所定のスケジュール通りに映像の表示を行うことを可能とするとともに、スクリーンＳに映像を表示しない際には、ランプ３を消灯することや、ランプ３の出力を低下させるによって、電気エネルギーを節約することを可能にした。【選択図】図１
2007178636.tif 000002
【特許請求の範囲】
【請求項１】
光源ランプが出力する光を、所定の光学素子が光学変調することによって、スクリーンに映像を投射して表示する投射型映像表示装置であって、
前記スクリーンに映像を表示するスケジュールに応じたタイムテーブルを記憶する記憶手段と、
前記記憶手段に記憶されるタイムテーブルにおける、前記スクリーンに映像を表示する先の表示タイミングと、次の表示タイミングとの間である、前記スクリーンに映像を表示しないインターバルの長さが、所定の時間以上であるか否かを判断するインターバル判断手段と、
前記インターバル判断手段が、前記インターバルの長さが所定の時間以上であると判断した場合、先の表示タイミングの終了時に前記光源ランプを消灯することによって、前記スクリーンにおける映像を非表示に切り替える第１のランプ制御手段と、
前記インターバル判断手段が、前記インターバルの長さが所定の時間以上でないと判断した場合、先の表示タイミングの終了時に前記光源ランプが出力する光の輝度を低下させる第２のランプ制御手段と、前記第２のランプ制御手段が前記光源ランプが出力する光の輝度を低下させることに合わせて、先の表示タイミングの終了時に前記光学素子を制御して、前記スクリーンにおける映像を非表示に切り替える光学素子制御手段と、
を備えることを特徴とする投射型映像表示装置。
【請求項２】
光源ランプが出力する光を、所定の光学素子が光学変調することによって、スクリーンに映像を投射して表示する投射型映像表示装置であって、
前記スクリーンに映像を表示するスケジュールに応じたタイムテーブルを記憶する記憶手段と、
前記記憶手段に記憶されるタイムテーブルにおける、前記スクリーンに映像を表示する先の表示タイミングと、次の表示タイミングとの間である、前記スクリーンに映像を表示しないインターバルの長さが、所定の時間以上であるか否かを判断するインターバル判断手段と、
前記インターバル判断手段が、前記インターバルの長さが所定の時間以上でないと判断した場合、先の表示タイミングの終了時に前記光学素子を制御して、前記スクリーンにおける映像を非表示に切り替える光学素子制御手段と、
を備えることを特徴とする投射型映像表示装置。
【請求項３】
前記光学素子制御手段が、前記光学素子を制御して前記スクリーンにおける映像を非表示に切り替える際に、前記ランプ制御手段は、前記光源ランプが出力する光の輝度を低下させることを特徴とする請求項２記載の投射型映像表示装置。
【発明の詳細な説明】
【技術分野】
【０００１】
本発明は、投射型映像表示装置に関する。
【背景技術】
【０００２】
従来、光源から出射された光をＤＭＤ等の光学素子により変調し、光学レンズを通してスクリーン上に投射することにより映像等を表示するプロジェクタなどの投射型映像表示装置が知られている。
【０００３】
そして、プロジェクタによる映像表示を行いつつ、複数の発表者が所定のスケジュールに従って様々な発表やプレゼンテーションを行う際に、各発表者がそれぞれの制限時間内にその発表を収める目安とするために、現在時刻、発表経過時間、残り時間等を映像とともにスクリーンに投射して表示するプロジェクタが知られている（例えば、特許文献１参照）。
また、発表者がプロジェクタを操作するために携帯するリモートコントロール装置（リモコン）の表示部に現在時刻、発表経過時間、残り時間等を表示するプレゼンテーションシステムが知られている（例えば、特許文献２参照）。
【０００４】
また、ドットマトリクス状に配列された複数の発光素子を選択的に発光・消灯させることで、所望する文字や絵記号などを表示する表示装置が知られている（例えば、特許文献３参照）。
【特許文献１】特開２００１−１０９０６４号公報
【特許文献２】特開２００３−１６２２７４号公報
【特許文献３】特開２００３−２０２８４９号公報
【発明の開示】
【発明が解決しようとする課題】
【０００５】
しかしながら、上記特許文献１、特許文献２の場合、発表者が発表に関する制限時間を認識し、発表開始後の経過時間を把握していても、制限時間以上に発表が延びてしまったり、制限時間より早く発表が終了してしまったりすることがあり、予定されていたタイムテーブル通りに発表が進行しないことがあるという問題があった。
【０００６】
また、上記特許文献３の場合、発光素子としてＬＥＤ（Light Emitting Diode）が用いられているので、その発光素子を発光させるタイミングや消灯させるタイミングは任意とすることができるが、上記特許文献１、特許文献２におけるプロジェクタの光源として用いられるランプは、一旦消灯してしまうと、次の点灯が可能となるまでに所定時間（例えば、１分〜３分程度の時間）必要となるので、先の発表者のプレゼンテーション終了後にランプを消灯してしまうと、次の発表者が直ちにプレゼンテーションを開始しようとしてもプロジェクタによる映像表示が行えないことがあるという問題があった。
【０００７】
本発明の目的は、所定のスケジュール通りに映像の表示を行うことができる投射型映像表示装置を提供することである。
【課題を解決するための手段】
【０００８】
以上の課題を解決するため、請求項１記載の発明は、光源ランプが出力する光を、所定の光学素子が光学変調することによって、スクリーンに映像を投射して表示する投射型映像表示装置であって、前記スクリーンに映像を表示するスケジュールに応じたタイムテーブルを記憶する記憶手段と、前記記憶手段に記憶されるタイムテーブルにおける、前記ス
クリーンに映像を表示する先の表示タイミングと、次の表示タイミングとの間である、前記スクリーンに映像を表示しないインターバルの長さが、所定の時間以上であるか否かを判断するインターバル判断手段と、前記インターバル判断手段が、前記インターバルの長さが所定の時間以上であると判断した場合、先の表示タイミングの終了時に前記光源ランプを消灯することによって、前記スクリーンにおける映像を非表示に切り替える第１のランプ制御手段と、前記インターバル判断手段が、前記インターバルの長さが所定の時間以上でないと判断した場合、先の表示タイミングの終了時に前記光源ランプが出力する光の輝度を低下させる第２のランプ制御手段と、前記第２のランプ制御手段が前記光源ランプが出力する光の輝度を低下させることに合わせて、先の表示タイミングの終了時に前記光学素子を制御して、前記スクリーンにおける映像を非表示に切り替える光学素子制御手段と、を備えることを特徴とする。
【０００９】
請求項２記載の発明は、光源ランプが出力する光を、所定の光学素子が光学変調することによって、スクリーンに映像を投射して表示する投射型映像表示装置であって、前記スクリーンに映像を表示するスケジュールに応じたタイムテーブルを記憶する記憶手段と、前記記憶手段に記憶されるタイムテーブルにおける、前記スクリーンに映像を表示する先の表示タイミングと、次の表示タイミングとの間である、前記スクリーンに映像を表示しないインターバルの長さが、所定の時間以上であるか否かを判断するインターバル判断手段と、前記インターバル判断手段が、前記インターバルの長さが所定の時間以上でないと判断した場合、先の表示タイミングの終了時に前記光学素子を制御して、前記スクリーンにおける映像を非表示に切り替える光学素子制御手段と、を備えることを特徴とする。
【００１０】
請求項３記載の発明は、請求項２記載の投射型映像表示装置において、前記光学素子制御手段が、前記光学素子を制御して前記スクリーンにおける映像を非表示に切り替える際に、前記ランプ制御手段は、前記光源ランプが出力する光の輝度を低下させることを特徴とする。
【発明の効果】
【００１１】
請求項１記載の発明によれば、投射型映像表示装置は、記憶手段に記憶されるタイムテーブルに基づいて、光源ランプが出力する光を光学変調するなどして、スクリーンに映像を表示することができる。
特に、投射型映像表示装置は、記憶手段に記憶されるタイムテーブルにおける、スクリーンに映像を表示する先の表示タイミングと次の表示タイミングとの間である、スクリーンに映像を表示しないインターバルの長さが、所定の時間以上であるか否かを判断することによって、映像を表示しないインターバルにおける光源ランプの光の出力を調節することができる。
【００１２】
具体的には、投射型映像表示装置が、そのインターバルの長さが所定の時間以上であると判断した場合、先の表示タイミングの終了時に光源ランプを消灯することによって、スクリーンにおける映像を非表示に切り替える。
一方、そのインターバルの長さが所定の時間以上でないと判断した場合、先の表示タイミングの終了時に光源ランプが出力する光の輝度を低下させるとともに、光学素子を制御して光源ランプが出力する光を光学変調することにより、例えば、スクリーンに黒色画面を表示することによって、あたかも光源ランプが消灯したようにすることで、スクリーンにおける映像を非表示に切り替えることができる。
つまり、投射型映像表示装置に備えられる光源ランプは、一旦消灯してしまうと、次の点灯が可能となるまでに所定時間（例えば、１〜３分間）必要となるので、インターバルの長さが所定時間より短い場合には光源ランプは消灯せずに、光学素子を制御し光源ランプが出力する光を光学変調することによって、スクリーンにおける映像を非表示状態とすることにより、先の表示タイミングと次の表示タイミングとの間をインターバルとして区
切ることができる。
【００１３】
従って、投射型映像表示装置は、記憶手段に記憶されるタイムテーブルに沿うように、所定のスケジュール通りに映像の表示を行うことができる。
そして、投射型映像表示装置による映像表示を行いつつ、複数の発表者が発表などを行う際に、スクリーンに表示する映像を自動的に切り替えることができるので、発表者が発表を開始する際に光源ランプを点灯させたり、発表終了時に光源ランプを消灯させたりするような、投射型映像表示装置を操作する手間を省くことができる。
また、例えば、各発表者に与えられた発表時間である制限時間を経過した場合に、スクリーンにおける映像が非表示状態に切り替えられることにより、その発表を終了させることができるので、予定のスケジュール通りにその発表をスムーズに進行させることができる。
また、投射型映像表示装置は、スクリーンに映像を表示しない際に、光源ランプを消灯したり、光源ランプが出力する光の輝度を低下させるように光源ランプの出力を低下させたりすることができるので、電気エネルギーを節約することができる。
【００１４】
請求項２記載の発明によれば、投射型映像表示装置は、記憶手段に記憶されるタイムテーブルに基づいて、光源ランプが出力する光を光学変調するなどして、スクリーンに映像を表示することができる。
特に、投射型映像表示装置は、記憶手段に記憶されるタイムテーブルにおける、スクリーンに映像を表示する先の表示タイミングと次の表示タイミングとの間である、スクリーンに映像を表示しないインターバルの長さが、所定の時間以上であるか否かを判断することによって、映像を表示しないインターバルにおける光源ランプの光の出力を調節することができる。
【００１５】
具体的には、投射型映像表示装置が、そのインターバルの長さが所定の時間以上でないと判断した場合、光源ランプは消灯せず、先の表示タイミングの終了時に光学素子を制御して、光源ランプが出力する光を光学変調することにより、例えば、スクリーンに黒色画面を表示することによって、あたかも光源ランプが消灯したようにすることで、スクリーンにおける映像を非表示に切り替えることができる。
つまり、投射型映像表示装置に備えられる光源ランプは、一旦消灯してしまうと、次の点灯が可能となるまでに所定時間（例えば、１〜３分間）必要となるので、インターバルの長さが所定時間より短い場合には光源ランプは消灯せずに、光学素子を制御し光源ランプが出力する光を光学変調することによって、スクリーンにおける映像を非表示状態とすることにより、先の表示タイミングと次の表示タイミングとの間をインターバルとして区切ることができる。
【００１６】
従って、投射型映像表示装置は、記憶手段に記憶されるタイムテーブルに沿うように、所定のスケジュール通りに映像の表示を行うことができる。
そして、投射型映像表示装置による映像表示を行いつつ、複数の発表者が発表などを行う際に、スクリーンに表示する映像を自動的に切り替えることができるので、発表者が発表を開始する際に光源ランプを点灯させたり、発表終了時に光源ランプを消灯させたりするような、投射型映像表示装置を操作する手間を省くことができる。
また、例えば、各発表者に与えられた発表時間である制限時間を経過した場合に、スクリーンにおける映像が非表示状態に切り替えられることにより、その発表を終了させることができるので、予定のスケジュール通りにその発表をスムーズに進行させることができる。
また、投射型映像表示装置は、スクリーンに映像を表示しない際に、光源ランプを消灯することもできるので、電気エネルギーを節約することができる。
【００１７】
請求項３記載の発明によれば、請求項２記載の発明と同様の効果が得られることは無論のこと、投射型映像表示装置が光学素子を制御して、スクリーンにおける映像を非表示に切り替える際に、光源ランプが出力する光の輝度を低下させることができる。
つまり、投射型映像表示装置が、光学素子を制御して光源ランプが出力する光を光学変調することにより、例えば、スクリーンに黒色画面を表示することによって、スクリーンにおける映像を非表示に切り替える際には、光源ランプを消灯させないために、光学素子を制御してスクリーンにおける映像を非表示に切り替えているので、光源ランプが出力する光の輝度や光量は、映像の表示／非表示に対する影響はない。
そこで、投射型映像表示装置が光学素子を制御して、スクリーンにおける映像を非表示に切り替える際、光源ランプが出力する光の輝度を低下させることが可能であるので、光源ランプが出力する光の輝度を低下させるように、光源ランプの出力を低下させることによって、電気エネルギーを節約することができる。
【発明を実施するための最良の形態】
【００１８】
以下、図面を参照して本発明に係る投射型映像表示装置の実施の形態について詳細に説明する。なお、投射型映像表示装置は、パーソナルコンピュータやビデオカメラなどから入力された画像データに基づき光学像を形成し、その形成した光学像を前方に設けられたスクリーンなどに拡大して投影することによって映像を表示する装置である。
【００１９】
図１は、本発明に係る投射型映像表示装置１００（以下、プロジェクタ１００）を示す斜視図であり、図２は、プロジェクタ１００の要部構成を示すブロック図である。
【００２０】
プロジェクタ１００は、図１、図２に示すように、画像データが入力される映像入力部１と、プロジェクタを操作するための複数の操作スイッチを有する操作部２と、高輝度の光を出射する光源ランプ３（以下、ランプ３）と、ランプ３から出射された光が入射される光学素子であるＤＭＤ（Digital Micromirror Device）画像形成素子４（以下、ＤＭＤ４）と、ＤＭＤ４により反射された光が通過するレンズ５と、プロジェクタ１００を操作するリモコン１０と通信を行うための通信部７と、プロジェクタの各種動作や処理を制御する制御部６等を備えている。
なお、ランプ３やＤＭＤ４、制御部６は、プロジェクタ１００の筐体８の内部に収容されており、映像入力部１や操作部２、レンズ５、通信部７は、筐体８の外面側に配設されている。
【００２１】
映像入力部１は、例えば、パーソナルコンピュータやビデオカメラ等の映像出力機器と電気的に接続されるようになっており、スクリーンＳに投射する映像の画像データが、映像入力部１に接続された映像出力機器から入力されるようになっている。そして、映像入力部１は、入力された画像データを制御部６へ出力する。
【００２２】
操作部２は、図１〜図３に示すように、プロジェクタの電源のオン／オフを切り替えるパワースイッチ２１と、音声の出力を調整するボリュームスイッチ２２と、各種メニューを表示するためのメニュースイッチ２３と、スクリーンＳに投射された映像の台形歪みを補正するための操作入力を行うキーストーンスイッチ２４と、各種設定・入力を行うための上下左右スイッチ２５と、所定のタイムテーブルに従って映像の表示／非表示を自動で切り替えるプレゼンテーション（発表）用の映像表示処理動作を実行させるプレゼンスイッチ２６と、プレゼンテーション用の映像表示処理動作を実行中に映像の表示時間を延長させるための延長スイッチ２７等を備えている。
なお、ボリュームスイッチ２２は「＋」スイッチ（ｕｐキー）及び「−」スイッチ（ｄｏｗｎキー）を有しており、キーストーンスイッチ２４も図示しない「＋」スイッチ及び「−」スイッチを有している。また、上下左右スイッチ２５は上下左右方向に関する指示入力と、その中心部が押下されることによる確定や決定に関する指示入力を行うことが可
能になっている。
そして、この操作部２における各種操作スイッチが押下されて入力された各種操作指示は、制御部６に出力される。
【００２３】
ランプ３は、例えば、メタルハライドランプや超高圧水銀ランプ等から構成されて高い輝度の光を出射する光源であり、プロジェクタ１００が、離れた位置に設けられたスクリーンＳに、より鮮明な画像や映像を投影すべく高輝度の光を出力可能になっている。
なお、ランプ３に供給する電力等を調節することにより、ランプ３が出力する光の輝度を調整することが可能になっている。
【００２４】
ＤＭＤ４は、複数のマイクロミラー素子により構成されている電子部品であり、例えば、ＣＣＤなどの撮像装置の画素に対応するように、静電吸着などによって駆動される複数の可動マイクロミラーをマトリクス状に配列したものである。そして、所定の映像出力機器から入力される画像データに基づいて各マイクロミラーを制御し、ランプ３から出射される光束の反射方向を変化させて、その光を光学変調することにより光学像を形成する。
【００２５】
レンズ５は、例えば、ズームレンズ等により構成され、ＤＭＤ４によって変調されてレンズ５側に反射された光（光学像）を集光してスクリーンＳに向けて拡大投影するものである。そして、ＤＭＤ４によってレンズ５側に反射された光束のみがスクリーンＳ上に到達し、スクリーンＳに光学像が投射・投影される。
【００２６】
通信部７は、リモコン１０と所定の信号の送受信を行うことにより、プロジェクタ１００とリモコン１０の間で各種データの授受を行う。
例えば、通信部７は、リモコン１０から送信されるプロジェクタの操作に関する各種信号を受信し、その受信した各種信号を制御部６に送出する。
また、通信部７は、プロジェクタ１００の制御部６がリモコン１０に向けて出力する各種信号を、リモコン１０に対して発信する。
【００２７】
リモコン１０は、プロジェクタ１００を離間した位置から操作するための操作装置であり、操作部２が有する各種操作スイッチと同様のスイッチやキーを備えている。
【００２８】
制御部６は、例えば、半導体集積回路等により構成され、映像入力部１から入力された画像データに基づく映像をスクリーンＳに投射させるために、プロジェクタ１００の各部を制御する。
制御部６は、図２に示すように、ＣＰＵ６１、ＲＡＭ６２、記憶手段としての記憶部６３等を備えている。
【００２９】
ＣＰＵ６１は、記憶部６３に格納された処理プログラムや各種データ等を読み出して、ＲＡＭ６２に展開して実行することにより、プロジェクタ１００全体の制御を行う。
【００３０】
ＲＡＭ６２は、ＣＰＵ６１により実行される処理プログラム等をＲＡＭ６２内のプログラム格納領域に展開するとともに、操作部２から入力される操作指示データや、上記処理プログラムが実行される際に生じる処理結果等をワークエリアに格納する。
【００３１】
記憶部６３は、例えば、半導体メモリ等で構成されている記録媒体（図示省略）を有しており、この記録媒体には予めプログラムやデータ等が記憶されている。
そして、記憶部６３は、ＣＰＵ６１がプロジェクタ１００全体を制御する機能を実現させるための各種データ、各種処理プログラム、これらプログラムの実行により処理されたデータ等を記憶する。より具体的には、記憶部６３は、例えば、図２に示すように、タイムテーブルデータ６３ａ、インターバル判断プログラム６３ｂ、ランプ制御プログラム６
３ｃ、光学素子制御プログラム６３ｄ、ＯＳＤ表示（On Screen Display）に関するＯＳ
Ｄデータ６３ｅ、投射プログラム６３ｆ、ＯＳＤ表示プログラム６３ｇ、操作指示実行プログラム６３ｈ等を格納している。
【００３２】
タイムテーブルデータ６３ａは、スクリーンＳに映像を表示する表示タイミングの長さ（時間）と、先の表示タイミングと次の表示タイミングとの間であるスクリーンＳに映像を表示しないインターバルの長さ（時間）とが組み合わされてなる、スクリーンＳにおける映像の表示と非表示を切り替えるためのタイムテーブルに関するデータであり、プロジェクタ１００が映像の表示／非表示を自動で切り替えるプレゼンテーション（発表）用の映像表示処理動作を実行する際に、ランプ３の点灯／消灯或いはランプ３の出力する光の輝度調整を行うタイミングや、ＤＭＤ４の映像表示用の光学変調と映像非表示用の光学変調とを切り替えるタイミングの基準とするデータである。
タイムテーブルデータ６３ａは、予め設定されたスクリーンＳに映像を表示する表示タイミングの長さ（時間）と、スクリーンＳに映像を表示しないインターバルの長さ（時間）とが組み合わされてなる基本タイムテーブルと、その基本タイムテーブルにおける表示タイミングの長さ（時間）やインターバルの長さ（時間）を変更して設定した、ユーザが所望するタイムテーブル等を有している。
また、タイムテーブルデータ６３ａに関連付けるように、操作部２等を介して入力、設定されたインターバル長さ（時間）の基準時間に関する基準時間データが、記憶部６３に記憶されている。なお、本実施の形態において、インターバル長さ（時間）の基準時間は３分とし、基準時間データ「３分間」が記憶部６３に記憶されているものとする。
【００３３】
インターバル判断プログラム６３ｂは、記憶部６３に記憶されるタイムテーブルと基準時間データとに基づき、スクリーンＳに映像が表示される先の表示タイミングと次の表示タイミングとの間である、スクリーンＳに映像を表示しないインターバルの長さ（時間）が所定時間（基準時間）以上であるか否かを判断する制御をＣＰＵ６１に実現させるプログラムである。
なお、本実施の形態において、インターバル判断プログラム６３ｂは、スクリーンＳに映像を表示しないインターバルの長さ（時間）が３分以上であるか否かを判断する制御をＣＰＵ６１に実現させるプログラムであるとする。
【００３４】
ランプ制御プログラム６３ｃは、記憶部６３に記憶されるタイムテーブルに基づき、ランプ３の点灯と消灯を切り替える制御や、ランプ３の出力する光の輝度を調整する制御をＣＰＵ６１に実現させるプログラムである。
【００３５】
光学素子制御プログラム６３ｄは、記憶部６３に記憶されるタイムテーブルに基づき、ＤＭＤ４を制御することにより、スクリーンＳの映像表示領域に映像非表示画面である黒色画面を投射させて表示する機能をＣＰＵ６１に実現させるプログラムである。
【００３６】
ＯＳＤデータ６３ｅは、例えば、映像入力部１を介して入力される画像データに基づく映像に重ね合わせてスクリーンＳに投射表示されるＯＳＤ画像のデータを含んでいる。このＯＳＤ画像データとしては、操作部２の各種操作スイッチに対応する操作指示に関連つけられたアイコンデータや操作メニュー画面データ、タイムテーブル設定画面データやタイムテーブル表示画面データ等がある。
【００３７】
投射プログラム６３ｆは、例えば、ＤＭＤ４等を制御することにより、映像入力部１から入力された画像データに基づく映像をスクリーンＳに投射する機能をＣＰＵ６１に実現させるプログラムである。より具体的には、投射プログラム６３ｄは、映像入力部１から画像データが入力される場合にはその画像データに基づく映像をスクリーンＳに投射させて表示し、映像入力部１から画像データの入力がない場合には、例えば、スクリーンＳの
映像表示領域に待機画面である青色画面等を投射させて表示する機能をＣＰＵ６１に実現させるプログラムである。
【００３８】
ＯＳＤ表示プログラム６３ｇは、例えば、操作スイッチが操作された際に、スクリーンＳに表示される画像データに基づく映像に、その操作された操作スイッチに対応するＯＳＤ画像データに基づくＯＳＤ画像を重ね合わせて投射表示させる機能をＣＰＵ６１に実現させるプログラムである。
【００３９】
操作指示実行プログラム６３ｈは、例えば、操作部２やリモコン１０の操作スイッチが操作された場合に、その操作スイッチに割り当てられた所定の処理を実行させる機能をＣＰＵ６１に実現させるプログラムである。
例えば、操作指示実行プログラム６３ｈは、例えば、上下左右スイッチ２５などが操作されたことによって、記憶部６３に記憶される基本タイムテーブルにおける表示タイミングの長さ（時間）とインターバルの長さ（時間）の少なくとも一方を変更し、所望するタイムテーブルを設定する機能をＣＰＵ６１に実現させるプログラムである。
また、操作指示実行プログラム６３ｈは、例えば、プレゼンスイッチ２６が操作されたことによって、ランプ制御プログラム６３ｃや光学素子制御プログラム６３ｄに基づく制御をＣＰＵ６１に実現させるプログラムである。
また、操作指示実行プログラム６３ｈは、例えば、延長スイッチ２７が操作されたことによって、ランプ制御プログラム６３ｃに基づく制御の実行中、ランプ３の点灯時間を１分間延長させる制御をＣＰＵ６１に実現させるプログラムである。
【００４０】
そして、制御部６は、ＣＰＵ６１が投射プログラム６３ｆを実行することにより、映像入力部１から入力された画像データに基づく映像をスクリーンＳに投射して表示する映像表示制御手段として機能する。
【００４１】
また、制御部６は、ＣＰＵ６１がＯＳＤ表示プログラム６３ｇを実行することにより、操作部２やリモコン１０の操作スイッチに操作指示が入力されたことに伴い、スクリーンＳに表示される映像の一部に、その操作スイッチに対応する操作指示に関するＯＳＤデータ６３ｃのＯＳＤ画像データに基づくＯＳＤ画像を重ね合わせて投射表示するＯＳＤ画像表示制御手段として機能する。
【００４２】
また、制御部６は、ＣＰＵ６１がインターバル制御プログラム６３ｂを実行することにより、記憶部６３に記憶されるタイムテーブルと基準時間データとに基づき、スクリーンＳに映像が表示される先の表示タイミングと次の表示タイミングとの間である、スクリーンＳに映像を表示しないインターバルの長さ（時間）が所定時間（基準時間）である３分以上であるか否かを判断するインターバル判断手段として機能する。
【００４３】
また、制御部６は、ＣＰＵ６１がランプ制御プログラム６３ｃを実行することにより、記憶部６３に記憶されるタイムテーブルに基づき、ランプ３の点灯と消灯を切り替える制御や、ランプ３の出力する光の輝度を調整する制御を行うランプ制御手段として機能する。
なお、制御部６は、ＣＰＵ６１がランプ制御プログラム６３ｃを実行することにより、記憶部６３に記憶されるタイムテーブルに基づき、ランプ３の点灯と消灯を切り替えて、スクリーンＳに投射する映像の表示／非表示を切り替える第１のランプ制御手段として機能する。つまり、第１のランプ制御手段としての制御部６は、ランプ３を消灯することによって、スクリーンＳにおける映像を非表示に切り替える。
特に、インターバル判断手段としての制御部６が、インターバルの長さ（時間）が所定時間以上（例えば、３分以上）であると判断した場合に、第１のランプ制御手段としての制御部６は、先の映像表示タイミングの終了時にランプ３を消灯することによって、スク
リーンＳにおける映像を非表示に切り替える。
また、制御部６は、ＣＰＵ６１がランプ制御プログラム６３ｃを実行することにより、記憶部６３に記憶されるタイムテーブルに基づき、後述する光学素子制御手段としての制御部６がＤＭＤ４を制御することによってスクリーンＳの映像表示領域に映像非表示画面である黒色画面を投射させて表示する際に、ランプ３の出力する光の輝度を低下させる調整を行う第２のランプ制御手段として機能する。つまり、第２のランプ制御手段としての制御部６は、後述する光学素子制御手段としての制御部６と協働することによって、スクリーンＳの映像表示領域に映像非表示画面である黒色画面を表示するようにして、スクリーンＳにおける映像を非表示に切り替える。
特に、インターバル判断手段としての制御部６が、インターバルの長さ（時間）が所定時間以上でない、所定時間未満（例えば、３分未満）であると判断した場合に、第２のランプ制御手段としての制御部６は、先の映像表示タイミングの終了時にランプ３の出力する光の輝度を低下させる調整を行う。
【００４４】
また、制御部６は、ＣＰＵ６１が光学素子制御プログラム６３ｄを実行することにより、記憶部６３に記憶されるタイムテーブルに基づき、ＤＭＤ４を制御することによってスクリーンＳの映像表示領域に映像非表示画面である黒色画面を投射させて表示するようにして、スクリーンＳにおける映像を非表示に切り替える光学素子制御手段として機能する。
特に、インターバル判断手段としての制御部６が、インターバルの長さ（時間）が所定時間以上でない、所定時間未満（例えば、３分未満）であると判断した場合に、光学素子制御手段としての制御部６は、先の映像表示タイミングの終了時にＤＭＤ４を制御してスクリーンＳの映像表示領域に映像非表示画面である黒色画面を表示するようにして、スクリーンＳにおける映像を非表示に切り替える。
【００４５】
また、制御部６は、ＣＰＵ６１が操作指示実行プログラム６３ｈを実行することにより、例えば、タイムテーブル設定手段の一部である操作スイッチの上下左右スイッチ２５などが操作されたことによって、記憶部６３に記憶される基本タイムテーブルにおける表示タイミングの長さ（時間）とインターバルの長さ（時間）の少なくとも一方を変更し、所望するタイムテーブルを設定するタイムテーブル設定手段として機能する。なお、設定されたタイムテーブルは記憶部６３に記憶される。
【００４６】
また、制御部６は、ＣＰＵ６１が操作指示実行プログラム６３ｈを実行することにより、例えば、プレゼンスイッチ２６が操作されたことによって、ランプ制御プログラム６３ｃや光学素子制御プログラム６３ｄに基づく制御（ランプ制御手段、光学素子制御手段）を実行させるように機能する。
また、制御部６は、ＣＰＵ６１が操作指示実行プログラム６３ｈを実行することにより、例えば、延長スイッチ２７が１回押下され、操作されたことによって、ランプ制御プログラム６３ｃに基づく制御（ランプ制御手段）の実行中、ランプ３の点灯時間を１分間延長させる制御を実行させるように機能する。なお、ランプ３は一旦消灯した後、再点灯可能となるまでに約１分間かかるので、ランプ３が消灯するインターバルのタイミング（後述する「開始時間」）が少なくとも１分間となるように、そのランプ３の点灯時間を延長する処理を施すようになっている。つまり、ランプ３が消灯するインターバルのタイミングである消灯時間を１分間確保するように、その消灯時間を削り点灯時間に充てる処理を施し、ランプ３が点灯を開始する時間はずらさないようになっている。
【００４７】
また、制御部６は、ＣＰＵ６１が操作指示実行プログラム６３ｈを実行することにより、例えば、操作部２やリモコン１０のボリュームスイッチ２２が押下されて操作指示が入力されたことに伴い、音声の出力を増減する調整を行う。
また、制御部６は、ＣＰＵ６１が操作指示実行プログラム６３ｈを実行することにより
、例えば、操作部２やリモコン１０のキーストーンスイッチ２４が押下されて操作指示が入力されたことに伴い、スクリーンＳ上に投射される映像の表示領域の台形歪みを補正して、スクリーンＳ上に投射される映像画面が略長方形状になるように補正処理を行う。
また、制御部６は、ＣＰＵ６１が操作指示実行プログラム６３ｈを実行することにより、例えば、操作部２やリモコン１０のメニュースイッチ２３が押下されて操作指示が入力されたことに伴い、スクリーンＳ上に投射される映像の一部に、プロジェクタの操作・設定などに関する各種メニューを表示する処理を行う。
【００４８】
次に、プロジェクタ１００において、所望するタイムテーブルを設定する処理について説明する。
【００４９】
例えば、プロジェクタ１００の操作部２やリモコン１０が有するメニュースイッチ２３を押下し、タイムテーブルの設定に関する項目を選択することにより、図４に示すような、タイムテーブル設定・表示画面ＧをスクリーンＳにＯＳＤ表示する。
図４に示すように、タイムテーブル設定・表示画面Ｇには、Schedule１からSchedule１０に対し、それぞれ「動作」、「開始時間」、「点灯時間」に関する設定条件入力欄Ｒ１、Ｒ２、Ｒ３が設けられている。
【００５０】
そして、上下左右スイッチ２５を操作して、所望する設定条件入力欄を指示し、その設定条件入力欄に対して設定条件を入力することができる状態とするとともに、上下左右スイッチ２５などを操作することによって、その入力欄に所望する設定条件を入力する。
例えば、「動作」に関する設定条件入力欄Ｒ１に対し、上下左右スイッチ２５による操作を施すと、設定条件入力欄Ｒ１には、“終了”と“開始”が順に切り替えられるように表示され、「動作」に関する“終了”または“開始”の設定条件が入力設定される。
なお、各Scheduleにおける「動作」に関する設定条件が“終了”と設定されている場合、そのスケジュールは実行されず、また、各Scheduleにおける「動作」に関する設定条件が“開始” と設定されている場合、そのスケジュールは実行されるようになっている。
また、「開始時間」や「点灯時間」に関する設定条件入力欄Ｒ２、Ｒ３に対し、上下左右スイッチ２５による操作を施すと、設定条件入力欄Ｒ２、Ｒ３には、それぞれの動作時間に関する数値（分、min）がアップ／ダウンするように切り替えられるように表示され
、それぞれの動作時間（分、min）が入力設定される。
なお、「開始時間」は、前回（１つ前のSchedule）の映像の表示終了後（Schedule１の場合は、スケジュール（タイムテーブル）の登録後、そのスケジュール、タイムテーブルに基づく映像の表示制御（映像の表示／非表示制御）実行開始後）、何分後に次の映像の表示を開始するかに関する設定であり、「点灯時間」はランプ３を点灯し続けるなどし、スクリーンＳに映像を表示し続ける時間に関する設定である。
つまり、「開始時間」は先の映像表示と次の映像表示との間である、スクリーンＳに映像を表示しないインターバルに関する時間であり、「点灯時間」は、スクリーンＳに映像を表示する時間である。
【００５１】
なお、当初、このタイムテーブル設定・表示画面Ｇに対して、記憶部６３に記憶される基本タイムテーブルに基づき、各スケジュール（Schedule）毎にランプ３の点灯時間（映像の表示時間）が“１０分”、スクリーンＳに映像が表示されないインターバルの長さに対応する開始時間が“５分”、動作が“終了”と予め設定されているので、上記設定条件入力操作により、所望する設定条件の入力を行い、所望するタイムテーブルをユーザが設定することとなっている。
そして、基本タイムテーブルにおける点灯時間（映像の表示時間）や開始時間（映像非表示のインターバル時間）等が変更された、ユーザが所望するタイムテーブルは記憶部６３に記憶される。
【００５２】
そして、図４に示す、タイムテーブル設定・表示画面Ｇにおいて設定されたタイムテーブルでは、Schedule１からSchedule６の「動作」が“開始”と設定されているので、Schedule１からSchedule６における設定を実行することになっている。
このSchedule１からSchedule６に関するスケジュール（タイムテーブル）の登録後、プレゼンスイッチ２６が押下されて、映像の表示制御が開始されると、１０分間のインターバル後にSchedule１に対応してランプ３が点灯され、スクリーンＳに１０分間映像が表示される。その映像の表示終了後にランプ３が消灯され、映像が非表示に切り替えられる（Schedule１）。
次いで、Schedule１におけるランプ３の消灯後、５分間のインターバル後にSchedule２に対応してランプ３が点灯され、スクリーンＳに１０分間映像が表示される。その映像の表示終了後にランプ３が消灯され、映像が非表示に切り替えられる（Schedule２）。
次いで、Schedule２におけるランプ３の消灯後、５分間のインターバル後にSchedule３に対応してランプ３が点灯され、スクリーンＳに１０分間映像が表示される。その映像の表示終了後にランプ３が消灯され、映像が非表示に切り替えられる（Schedule３）。
次いで、Schedule３におけるランプ３の消灯後、３分間のインターバル後にSchedule４に対応してランプ３が点灯され、スクリーンＳに１０分間映像が表示される。その映像の表示終了後に、ランプ３が出力する光の輝度が低下されるとともにＤＭＤ４が制御されてスクリーンＳの映像表示領域に黒色画面が表示されることによって、スクリーンＳにおける映像が非表示に切り替えられる（Schedule４）。
次いで、Schedule４における映像の表示後に、ランプ３が出力する光の輝度が低下されるとともにＤＭＤ４が制御されてスクリーンＳに黒色画面が表示された、１分間のインターバル後にSchedule５に対応して、ランプ３が通常の輝度で点灯されるとともにＤＭＤ４が通常の映像表示処理を実行することによって、スクリーンＳに１０分間映像が表示される。その映像の表示終了後にランプ３が消灯され、映像が非表示に切り替えられる（Schedule５）。
次いで、Schedule５におけるランプ３の消灯後、５分間のインターバル後にSchedule６に対応してランプ３が点灯され、スクリーンＳに１０分間映像が表示される。その映像の表示終了後にランプ３が消灯され、映像が非表示に切り替えられる（Schedule６）。
【００５３】
つまり、図４に示すこのタイムテーブル設定・表示画面Ｇにおいて設定されているタイムテーブルに対応する映像の表示／非表示制御を実行すると、以下のような映像の表示／非表示制御が実行される。
Schedule１〜Schedule６における映像の表示時間である「点灯時間」は、それぞれ１０分間であるので、１０分間ランプ３が点灯されて映像がスクリーンＳに表示される。
そして、Schedule１〜Schedule４及びSchedule６における、映像非表示のインターバル時間である「開始時間」は３分以上であるので、各インターバル時間では、ランプ３を消灯することによって、スクリーンＳにおける映像を非表示に切り替える。
一方、Schedule５における、映像非表示のインターバル時間である「開始時間」は３分未満である１分であるので、そのインターバル時間では、ランプ３が出力する光の輝度を低下させつつＤＭＤ４を制御して黒色画面を表示することによって、スクリーンＳにおける映像を非表示に切り替える。
【００５４】
次に、プロジェクタ１００が所定のタイムテーブルに従って、スクリーンＳにおける映像の表示／非表示を切り替える制御を実行する際の動作処理の一例について、図５に示すフローチャートに基づき説明する。
【００５５】
まず、制御部６は、プレゼンスイッチ２６が押下されたか否かを判断し（ステップＳ１０１）、制御部６が、プレゼンスイッチ２６が押下されたと判断すると（ステップＳ１０１；Ｙｅｓ）、制御部６は、所定のタイムテーブルに基づき、ランプ３の点灯と消灯の切り替えや、ＤＭＤ４を制御するなどして、スクリーンＳに投射する映像の表示／非表示を
切り替える制御をプロジェクタ１００に実行させる。
【００５６】
次いで、制御部６は、次の「開始時間」である映像非表示のインターバル時間は、３分以上であるか否かを判断する（ステップＳ１０２）。
制御部６が、次の「開始時間」は３分以上であると判断すると（ステップＳ１０２；Ｙｅｓ）、制御部６は、ランプ３を消灯してスクリーンＳにおける映像を非表示とし（ステップＳ１０３）、ステップＳ１０５へ進む。
一方、制御部６が、次の「開始時間」は３分以上でない、３分未満であると判断すると（ステップＳ１０２；Ｎｏ）、制御部６は、ランプ３の出力を落として光の輝度を低下させるとともに、ＤＭＤ４を制御してスクリーンＳに黒色画面を表示するようにしてスクリーンＳにおける映像を非表示とし（ステップＳ１０４）、ステップＳ１０５へ進む。
【００５７】
ステップＳ１０５において、制御部６は、「開始時間」であるインターバル時間が経過したか否かを判断する（ステップＳ１０５）。
制御部６が、「開始時間」であるインターバル時間が経過したと判断すると（ステップＳ１０５；Ｙｅｓ）、制御部６は、ランプ３が通常の輝度の光を出力するように点灯させるとともに、ＤＭＤ４に通常の映像表示処理を実行させるようにして、スクリーンＳに映像を表示する（ステップＳ１０６）。
【００５８】
次いで、制御部６は、延長スイッチ２７が押下されたか否かを判断する（ステップＳ１０７）。
制御部６が、延長スイッチ２７が押下されたと判断すると（ステップＳ１０７；Ｙｅｓ）、制御部６は、ランプ点灯時間を１分間延長する処理を施し（ステップＳ１０８）、ステップＳ１０９へ進む。
一方、制御部６が、延長スイッチ２７は押下されていないと判断すると（ステップＳ１０７；Ｎｏ）、ステップＳ１０９へ進む。
なお、このプロジェクタ１００における映像表示処理におけるランプ制御処理においては、タイムテーブルを構成する各スケジュールにおいてランプ３が点灯し映像表示を開始する時間が変わらないように、映像非表示状態であるインターバル時間を削り、延長されるランプ点灯時間に充てるようになっている。つまり、タイムテーブルにおける各スケジュールに対応するプレゼンテーションや発表を開始する時間は変わらず、そのプレゼンテーションや発表の進行を妨げないようになっている。
また、ランプ３は一旦消灯した後、再点灯可能となるまでに約１分間かかるので、ランプ３が消灯するインターバル時間が少なくとも１分間となるように、点灯時間は延長される。つまり、ランプ３が消灯するプレゼンテーションや発表の間のインターバルが５分間ある場合、点灯時間の延長は最大４分間とし、ランプ消灯時間を１分間とするようになっている。なお、ランプ点灯時間が延長されて、インターバル時間が３分以下となった場合には、ステップＳ１０４において、ＤＭＤ４を制御してスクリーンＳに黒色画面を表示するようにして映像を非表示としたように、スクリーンＳにおける映像を非表示とする制御を実行するようにしてもよい。
【００５９】
ステップＳ１０９において、制御部６は、タイムテーブルにおける所定のスケジュールに対応する「点灯時間」を経過したか否か（所定のスケジュールに対応する映像非表示のタイミングとなったか否か）を判断する（ステップＳ１０９）。
制御部６が、「点灯時間」を経過していない（映像非表示のタイミングになっていない）と判断すると（ステップＳ１０９；Ｎｏ）、ステップＳ１０６に戻る。
一方、制御部６が、「点灯時間」を経過した（映像非表示のタイミングになった）と判断すると（ステップＳ１０９；Ｙｅｓ）、制御部６は、所定のタイムテーブルにおける全てのスケジュールを終了したか否かを判断する（ステップＳ１１０）。
制御部６が、所定のタイムテーブルにおける全てのスケジュールを終了していないと判
断すると（ステップＳ１１０；Ｎｏ）、ステップＳ１０２に戻り、所定のタイムテーブルにおける次のスケジュールに関する処理に移行する。
一方、制御部６が、所定のタイムテーブルにおける全てのスケジュールを終了したと判断すると（ステップＳ１１０；Ｙｅｓ）、制御部６は、ランプ３を消灯し、スクリーンＳに対する映像を非表示とするとともに（ステップＳ１１１）、このタイムテーブルに関するデータを消去し（ステップＳ１１２）、このランプ制御処理を終了する。
【００６０】
このように、本発明に係るプロジェクタ１００は、記憶部６３に記憶される所定のタイムテーブルに基づき、スクリーンＳに投射する映像の表示／非表示を自動的に切り替えることができる。
つまり、プロジェクタ１００による映像表示を行いつつ、複数の発表者がプレゼンテーション（発表）を行うそれぞれのスケジュールに応じて、スクリーンＳに映像を表示するためにランプ３を点灯させる「点灯時間」と、スケジュール毎に発表者が入れ替わるインターバル時間である「開始時間」とが組み合わされてなるタイムテーブルを予め設定しておくことにより、各発表者がプレゼンテーションを行う際に表示する映像を自動的に切り替えることができるので、発表者が発表を開始する際にランプ３を点灯させたり、発表終了時にランプ３を消灯させたりするような、プロジェクタ１００を操作する手間を省くことができる。また、予め設定されたタイムテーブルに沿うように、プロジェクタ１００は所定のスケジュール通りに映像の表示を行うことができる。
【００６１】
そして、プロジェクタ１００は、発表者が入れ替わるインターバルにおいて、ランプ３を消灯したり、ランプ３の出力を落として発光する光の輝度を低下させたりすることによって、電気エネルギーを節約することができる。
特に、ランプ３は、一旦消灯してしまうと、次の点灯が可能となるまでに所定時間（例えば、１分間）必要となるので、インターバル時間が基準時間（例えば、３分間）未満である場合には、プロジェクタ１００は、ランプ３は消灯せずに、ＤＭＤ４を制御してスクリーンＳに黒色画面を表示することによって、あたかもランプ３が消灯したような映像非表示状態とすることができる。なお、インターバル時間が基準時間（例えば、３分間）以上である場合、プロジェクタ１００は、そのインターバルではランプ３を消灯することにより、映像を非表示に切り替える。
【００６２】
そして、プロジェクタ１００は、各発表者に与えられた発表時間である制限時間（「点灯時間」）を経過した場合に、ランプ３を消灯させたり、ＤＭＤ４の制御処理による黒色画面を表示させたりして、映像の表示を非表示に切り替えることにより、そのプレゼンテーション（発表）を終了させることができるので、予定のスケジュール通りにその発表をスムーズに進行させることができる。
また、各発表者は、その制限時間内にプレゼンテーションを行うことになるので、制限時間内に行った発表内容に基づいて公平な審査を受けやすくなるメリットがある。
【００６３】
また、このプロジェクタ１００は、その発表時間であるランプ３の点灯時間を延長する機能を有しているが、その延長処理は次の発表を始める開始時間をずらすことのない範囲で、ランプ３の点灯時間、映像の表示時間を延長するようになっているので、その後の発表者の発表を妨げることなくスケジュールを進行させることができる。
【００６４】
また、プロジェクタ１００は、予め記憶部６３に、基本タイムテーブルを有しているので、その基本タイムテーブルに沿ったスケジュールに従う映像の表示を行うことができるとともに、その基本タイムテーブルにおけるランプ３の点灯時間や消灯時間を必要に応じて変更することにより所望するタイムテーブルを容易に作成し設定することができる。
つまり、発表者の人数や、各発表時間が異なるような場合でも、基本タイムテーブルに基づき所望するタイムテーブルを設定することによって、プロジェクタ１００は、様々な
スケジュールに対応する映像表示を行うことができる。
【００６５】
なお、以上の実施の形態においては、タイムテーブルにおけるスケジュールの数は１０個の場合を例に説明したが、本発明はこれに限定されるものではなく、タイムテーブルに設定することができるスケジュールの数は任意であり、また、映像の表示時間である「点灯時間」や、映像の非表示時間・インターバル時間である「開始時間」も任意に設定することができる。
【００６６】
また、以上の実施の形態においては、プロジェクタ１００が、インターバル時間が基準時間（例えば、３分間）未満であると判断した場合、ＤＭＤ４を制御してスクリーンＳに全画面黒色の「べた」画像である黒色画面を表示することによって、スクリーンＳにおける映像を非表示状態としたが、本発明はこれに限定されるものではなく、ＤＭＤ４を制御してスクリーンＳに表示する映像非表示用の画面は、その他の色の画面や表示形態を有する画面であってもよい。
また、以上の実施の形態においては、ＤＭＤ４を制御してスクリーンＳに黒色画面を表示することによって、スクリーンＳにおける映像を非表示状態としたが、本発明はこれに限定されるものではなく、ランプ３の発光輝度を極限近くまで低下させて、スクリーンＳにおける映像を非表示状態とするようにしてもよい。
【００６７】
また、外部機器であるパーソナルコンピュータなどにおいてタイムテーブルの設定を行い、通信部７などを介してプロジェクタ１００に、その設定されたタイムテーブルに関するデータを入力するとともに、そのタイムテーブルを記憶部６３に記憶するようにしてもよい。
また、タイムテーブルにおける「開始時間」や「点灯時間」を、何時何分といった時刻データで設定し、所定の時刻に応じた映像の表示／非表示を切り替えるようにしてもよい。
【００６８】
また、その他、具体的な細部構造等についても適宜に変更可能であることは勿論である。
【図面の簡単な説明】
【００６９】
【図１】本発明に係るプロジェクタを示す斜視図である。
【図２】本発明に係るプロジェクタの要部構成を示すブロック図である。
【図３】プロジェクタの操作部を示す正面図である。
【図４】スクリーンに表示されるタイムテーブルに関する表示画面の一例を示す説明図である。
【図５】タイムテーブルに従って、プロジェクタが映像の表示／非表示を切り替える動作処理の一例を示すフローチャートである。
【符号の説明】
【００７０】
１      映像入力部
２      操作部
２５    上下左右スイッチ
２６    プレゼンスイッチ
２７    延長スイッチ
３      ランプ（光源ランプ）
４      ＤＭＤ（光学素子）
５      レンズ
６      制御部（インターバル判断手段、ランプ制御手段（第１のランプ制御手段、第２のランプ制御手段）、光学素子制御手段）
６１    ＣＰＵ
６２    ＲＡＭ
６３    記憶部（記憶手段）
６３ａ  タイムテーブルデータ
６３ｂ  インターバル判断プログラム
６３ｃ  ランプ制御プログラム
６３ｄ  光学素子制御プログラム
６３ｈ  操作指示実行プログラム
７      通信部
１０    リモコン
１００  プロジェクタ（投射型映像表示装置）
Ｇ      タイムテーブル設定・表示画面
Ｒ１〜Ｒ３  設定条件入力欄
Ｓ      スクリーン
【図１】
2007178636.tif 000003
【図２】
2007178636.tif 000004
【図３】
2007178636.tif 000005
【図４】
2007178636.tif 000006
【図５】
2007178636.tif 000007